(57)【要約】【課題】位置情報に則して広告を受信した携帯端末の利用者が、実際に店舗に来店したか否かを確認するためのサーバ等を提供する。【解決手段】携帯端末２は、予めインストールされているアプリケーションを起動し、コンテンツサーバ１から受信した広告のＱＲコード（登録商標）を表示し、店舗に設置されるコードリーダ装置５は、ＱＲコード（登録商標）を読み取って、コード情報とコードリーダＩＤとかざし日時とを、コンテンツサーバ１に送信する。コンテンツサーバ１は、受信したコード情報に含まれるユーザＩＤとコンテンツＩＤと、コードリーダＩＤとかざし日時とに基づいて、かざし履歴テーブル４５を作成し、コンテンツＩＤとコードリーダＩＤとが広告コンテンツ管理テーブル４２において同じ店舗に関連付いている場合に、携帯端末２のユーザが実際の店舗に来店したと判断する。【選択図】図９
2014109964.tif 000002
【特許請求の範囲】
【請求項１】
ユーザＩＤを有する携帯端末とネットワークを介して接続された広告配信サーバであって、
店舗の広告情報及び広告ＩＤと、当該店舗の店舗位置情報と、当該店舗に設置された機器の機器ＩＤとを、関連づけて記憶する広告情報記憶手段と、
前記携帯端末の前記ユーザＩＤ及びユーザ位置情報を、前記携帯端末から受信するユーザ位置情報取得手段と、
受信した前記ユーザ位置情報と前記店舗位置情報とに基づいて、前記店舗の前記広告ＩＤを選択する広告ＩＤ選択手段と、
受信した前記ユーザＩＤと、選択した前記広告ＩＤとを、対応づけて記憶する履歴記憶手段と、
選択した前記広告ＩＤに係る前記広告情報を、前記ユーザＩＤに係る前記携帯端末に送信する広告情報送信手段と、
前記携帯端末のユーザが訪れた前記店舗に設置された機器の機器ＩＤと、当該携帯端末の前記ユーザＩＤとを、ネットワークを介して取得する機器ＩＤ取得手段と、
取得した前記ユーザＩＤに対応づけて記憶された前記広告ＩＤと、取得した前記機器ＩＤとが、関連付けて記憶されているならば、前記携帯端末の前記ユーザが当該店舗に訪れたと判断する判断手段と、
を備えることを特徴とする広告配信サーバ。
【請求項２】
前記機器ＩＤ取得手段は、前記機器から近距離無線通信により前記機器ＩＤを取得した前記携帯端末から、当該機器ＩＤと、前記ユーザＩＤとを、ネットワークを介して取得する
ことを特徴とする請求項１に記載の広告配信サーバ。
【請求項３】
前記機器は、コードリーダであって、
前記広告配信サーバは、さらに、
少なくとも前記ユーザＩＤを含む２次元コードを生成するコード生成手段を、備え、
前記広告情報送信手段は、前記広告情報とともに、前記２次元コードを、前記携帯端末に送信し、
前記機器ＩＤ取得手段は、前記携帯端末の表示部に表示された２次元コードを読み取って前記ユーザＩＤを取得した前記コードリーダから、前記機器ＩＤと、当該ユーザＩＤとを、ネットワークを介して取得する
ことを特徴とする請求項１に記載の広告配信サーバ。
【請求項４】
前記判断手段が、前記携帯端末の前記ユーザが前記店舗を訪れたと判断した場合に、前記店舗に関する特典コンテンツを当該携帯端末へ送信する特典コンテンツ送信手段を、さらに備える
ことを特徴とする請求項１乃至請求項３のいずれかに記載の広告配信サーバ。
【請求項５】
前記判断手段が、前記携帯端末の前記ユーザが前記店舗を訪れたと判断した場合に、前記店舗に関する来店者数を増加させる来店者数計数手段を、さらに備える
ことを特徴とする請求項１乃至請求項４のいずれかに記載の広告配信サーバ。
【請求項６】
ユーザＩＤを有する携帯端末とネットワークを介して接続されたコンピュータであって、店舗の広告情報及び広告ＩＤと、当該店舗の店舗位置情報と、当該店舗に設置された機器の機器ＩＤとを、関連づけて記憶する広告情報記憶手段、及び、履歴記憶手段、を備える前記コンピュータが、
前記携帯端末の前記ユーザＩＤ及びユーザ位置情報を、前記携帯端末から受信するユーザ位置情報取得ステップと、
受信した前記ユーザ位置情報と前記店舗位置情報とに基づいて、前記店舗の前記広告ＩＤを選択する広告ＩＤ選択ステップと、
受信した前記ユーザＩＤと、選択した前記広告ＩＤとを、対応づけて前記履歴記憶手段に記憶する履歴記憶ステップと、
選択した前記広告ＩＤに係る前記広告情報を、前記ユーザＩＤに係る前記携帯端末に送信する広告情報送信ステップと、
前記携帯端末のユーザが訪れた前記店舗に設置された機器の機器ＩＤと、当該携帯端末の前記ユーザＩＤとを、ネットワークを介して取得する機器ＩＤ取得ステップと、
取得した前記ユーザＩＤに対応づけて記憶された前記広告ＩＤと、取得した前記機器ＩＤとが、関連付けて記憶されているならば、前記携帯端末の前記ユーザが当該店舗に訪れたと判断する判断ステップと、
を実行することを特徴とする広告配信方法。
【請求項７】
コンピュータを、ユーザＩＤを有する携帯端末とネットワークを介して接続された広告配信サーバとして機能させるためのプログラムであって、
コンピュータを、
店舗の広告情報及び広告ＩＤと、当該店舗の店舗位置情報と、当該店舗に設置された機器の機器ＩＤとを、関連づけて記憶する広告情報記憶手段、
前記携帯端末の前記ユーザＩＤ及びユーザ位置情報を、前記携帯端末から受信するユーザ位置情報取得手段、
受信した前記ユーザ位置情報と前記店舗位置情報とに基づいて、前記店舗の前記広告ＩＤを選択する広告ＩＤ選択手段、
受信した前記ユーザＩＤと、選択した前記広告ＩＤとを、対応づけて記憶する履歴記憶手段、
選択した前記広告ＩＤに係る前記広告情報を、前記ユーザＩＤに係る前記携帯端末に送信する広告情報送信手段、
前記携帯端末のユーザが訪れた前記店舗に設置された機器の機器ＩＤと、当該携帯端末の前記ユーザＩＤとを、ネットワークを介して取得する機器ＩＤ取得手段、
取得した前記ユーザＩＤに対応づけて記憶された前記広告ＩＤと、取得した前記機器ＩＤとが、関連付けて記憶されているならば、前記携帯端末の前記ユーザが当該店舗に訪れたと判断する判断手段、
として機能させるためのプログラム。
【請求項８】
ユーザＩＤを有する携帯端末とネットワークを介して接続された広告配信サーバと、店舗に設置された機器ＩＤを有する機器と、からなる広告配信システムであって、
前記広告配信サーバは、
店舗の広告情報及び広告ＩＤと、当該店舗の店舗位置情報と、当該店舗に設置された機器の機器ＩＤとを、関連づけて記憶する広告情報記憶手段と、
前記携帯端末の前記ユーザＩＤ及びユーザ位置情報を、前記携帯端末から受信するユーザ位置情報取得手段と、
受信した前記ユーザ位置情報と前記店舗位置情報とに基づいて、前記店舗の前記広告ＩＤを選択する広告ＩＤ選択手段と、
受信した前記ユーザＩＤと、選択した前記広告ＩＤとを、対応づけて記憶する履歴記憶手段と、
選択した前記広告ＩＤに係る前記広告情報を、前記ユーザＩＤに係る前記携帯端末に送信する広告情報送信手段と、
前記携帯端末のユーザが訪れた前記店舗に設置された機器の機器ＩＤと、当該携帯端末の前記ユーザＩＤとを、当該機器から近距離無線通信により取得した前記携帯端末から、ネットワークを介して取得する機器ＩＤ取得手段と、
取得した前記ユーザＩＤに対応づけて記憶された前記広告ＩＤと、取得した前記機器ＩＤとが、関連付けて記憶されているならば、前記携帯端末の前記ユーザが当該店舗に訪れたと判断する判断手段と、
を備え、
前記機器は、
近距離無線通信により、前記機器ＩＤを前記携帯端末へ送信する送信手段を備える
ことを特徴とする広告配信システム。
【請求項９】
ユーザＩＤを有する携帯端末とネットワークを介して接続された広告配信サーバと、店舗に設置された機器ＩＤを有する機器と、であって、
店舗の広告情報及び広告ＩＤと、当該店舗の店舗位置情報と、当該店舗に設置された機器の機器ＩＤとを、関連づけて記憶する広告情報記憶手段と、
前記携帯端末の前記ユーザＩＤ及びユーザ位置情報を、前記携帯端末から受信するユーザ位置情報取得手段と、
受信した前記ユーザ位置情報と前記店舗位置情報とに基づいて、前記店舗の前記広告ＩＤを選択する広告ＩＤ選択手段と、
受信した前記ユーザＩＤと、選択した前記広告ＩＤとを、対応づけて記憶する履歴記憶手段と、
選択した前記広告ＩＤに係る前記広告情報を、前記ユーザＩＤに係る前記携帯端末に送信する広告情報送信手段と、
前記携帯端末のユーザが訪れた前記店舗に設置された機器の機器ＩＤと、当該携帯端末の前記ユーザＩＤとを、前記機器から、ネットワークを介して取得する機器ＩＤ取得手段と、
取得した前記ユーザＩＤに対応づけて記憶された前記広告ＩＤと、取得した前記機器ＩＤとが、関連付けて記憶されているならば、前記携帯端末の前記ユーザが当該店舗に訪れたと判断する判断手段と、
を備え、
前記機器は、
前記携帯端末から取得した前記ユーザＩＤと、当該機器の機器ＩＤとを、ネットワークを介して前記広告配信サーバへ送信する送信手段を備える
ことを特徴とする広告配信システム。
【発明の詳細な説明】
【技術分野】
【０００１】
本発明は、携帯端末へ位置情報に基づき店舗の広告を配信する広告配信技術に関し、特に、来店確認も可能な広告配信技術に関する。
【背景技術】
【０００２】
昨今、スマートフォンやタブレット端末などの携帯端末の利用が急速に拡大し、外出先でも携帯端末を利用するユーザが必要とする情報を手軽に入手できるようになった。また、市場に出回るほぼ全ての携帯端末に、Ｗｉ−Ｆｉ機能やＧＰＳ機能が搭載されているため、携帯端末を利用するユーザの位置情報を、ユーザ及びユーザがアクセスするサーバにおいてリアルタイムで把握できる。そのため、サーバはユーザの位置情報に基づいて、ユーザが位置するエリアに関する情報を選択して携帯端末に配信することができる。携帯端末を操作するユーザは、現在地に合った広告を閲覧することができる。
【０００３】
例えば、特許文献１に記載の技術には、ユーザの現在の位置及び嗜好に適した広告を選択して携帯端末に送信する広告配信システム等が提案されている。
【０００４】
ところで、携帯端末から広告を取得したユーザのうち、実際に該当する店舗に来店したユーザや店舗での購入をしたユーザを、システム上で集計したいという要望がある。これにより、例えば、集計された来店者数に基づいて、広告を配信する広告提供主に対し報酬を与えることができる。
【先行技術文献】
【特許文献】
【０００５】
【特許文献１】特開２００９−１８７１７６号公報
【発明の概要】
【発明が解決しようとする課題】
【０００６】
しかしながら、上述の特許文献１では、広告を配信するのみで、来店実績や購入実績をシステム上で判断していない。
【０００７】
本発明は、前述した問題点に鑑みてなされたものであり、その目的とすることは、位置情報に則して広告を受信した携帯端末の利用者が、実際の店舗に来店したか否かを確認するための広告配信サーバなどを提供することである。
【課題を解決するための手段】
【０００８】
前述した課題を解決するために第１の発明は、ユーザＩＤを有する携帯端末とネットワークを介して接続された広告配信サーバであって、店舗の広告情報及び広告ＩＤと、当該店舗の店舗位置情報と、当該店舗に設置された機器の機器ＩＤとを、関連づけて記憶する広告情報記憶手段と、前記携帯端末の前記ユーザＩＤ及びユーザ位置情報を、前記携帯端末から受信するユーザ位置情報取得手段と、受信した前記ユーザ位置情報と前記店舗位置情報とに基づいて、前記店舗の前記広告ＩＤを選択する広告ＩＤ選択手段と、受信した前記ユーザＩＤと、選択した前記広告ＩＤとを、対応づけて記憶する履歴記憶手段と、選択した前記広告ＩＤに係る前記広告情報を、前記ユーザＩＤに係る前記携帯端末に送信する広告情報送信手段と、前記携帯端末のユーザが訪れた前記店舗に設置された機器の機器ＩＤと、当該携帯端末の前記ユーザＩＤとを、ネットワークを介して取得する機器ＩＤ取得手段と、取得した前記ユーザＩＤに対応づけて記憶された前記広告ＩＤと、取得した前記機器ＩＤとが、関連付けて記憶されているならば、前記携帯端末の前記ユーザが当該店舗に訪れたと判断する判断手段と、を備えることを特徴とする広告配信サーバである。
これにより、広告を閲覧した携帯端末のユーザが、実際に店舗に来店したか否かを判断することができる。また、これらのデータは広告提供主への成功報酬に利用できる。
【０００９】
第１の発明の機器ＩＤ取得手段は、前記機器から近距離無線通信により前記機器ＩＤを取得した前記携帯端末から、当該機器ＩＤと、前記ユーザＩＤとを、ネットワークを介して取得することが望ましい。
これによって、携帯端末は、機器から近距離無線通信（ＮＦＣ）によって、機器ＩＤを取得できるため、ＮＦＣを利用可能な携帯端末とともに、広告配信サーバを実現することができる。
【００１０】
第１の発明の機器は、コードリーダであって、前記広告配信サーバは、さらに、少なくとも前記ユーザＩＤを含む２次元コードを生成するコード生成手段を、備え、前記広告情報送信手段は、前記広告情報とともに、前記２次元コードを、前記携帯端末に送信し、前記機器ＩＤ取得手段は、前記携帯端末の表示部に表示された２次元コードを読み取って前記ユーザＩＤを取得した前記コードリーダから、前記機器ＩＤと、当該ユーザＩＤとを、ネットワークを介して取得することが望ましい。
これによって、例えば、ＱＲコード（登録商標）や、ＡＲマーカー等の２次元コードを読み取り可能なコードリーダによって、携帯端末の情報が取得可能なため、当該コードリーダとともに、広告配信サーバを実現することができる。
【００１１】
第１の発明の広告配信サーバは、前記判断手段が、前記携帯端末の前記ユーザが前記店舗を訪れたと判断した場合に、前記店舗に関する特典コンテンツを当該携帯端末へ送信する特典コンテンツ送信手段を、さらに備えることが望ましい。
これによって、広告情報をみて店舗を訪れた携帯端末のユーザに特典コンテンツを与えることができる。
【００１２】
第１の発明の広告配信サーバは、前記判断手段が、前記携帯端末の前記ユーザが前記店舗を訪れたと判断した場合に、前記店舗に関する来店者数を増加させる来店者数計数手段を、さらに備えることが望ましい。
これによって、広告情報をみて店舗を訪れた携帯端末のユーザの数を計数することができる。
【００１３】
第２の発明は、ユーザＩＤを有する携帯端末とネットワークを介して接続されたコンピュータであって、店舗の広告情報及び広告ＩＤと、当該店舗の店舗位置情報と、当該店舗に設置された機器の機器ＩＤとを、関連づけて記憶する広告情報記憶手段、及び、履歴記憶手段、を備える前記コンピュータが、前記携帯端末の前記ユーザＩＤ及びユーザ位置情報を、前記携帯端末から受信するユーザ位置情報取得ステップと、受信した前記ユーザ位置情報と前記店舗位置情報とに基づいて、前記店舗の前記広告ＩＤを選択する広告ＩＤ選択ステップと、受信した前記ユーザＩＤと、選択した前記広告ＩＤとを、対応づけて前記履歴記憶手段に記憶する履歴記憶ステップと、選択した前記広告ＩＤに係る前記広告情報を、前記ユーザＩＤに係る前記携帯端末に送信する広告情報送信ステップと、前記携帯端末のユーザが訪れた前記店舗に設置された機器の機器ＩＤと、当該携帯端末の前記ユーザＩＤとを、ネットワークを介して取得する機器ＩＤ取得ステップと、取得した前記ユーザＩＤに対応づけて記憶された前記広告ＩＤと、取得した前記機器ＩＤとが、関連付けて記憶されているならば、前記携帯端末の前記ユーザが当該店舗に訪れたと判断する判断ステップと、を実行することを特徴とする広告配信方法である。
これにより、広告を閲覧した携帯端末のユーザが、実際の店舗に来店したか否かを判断することができる。また、これらのデータは広告提供主への成功報酬に利用できる。
【００１４】
第３の発明は、コンピュータを、ユーザＩＤを有する携帯端末とネットワークを介して接続された広告配信サーバとして機能させるためのプログラムであって、コンピュータを、店舗の広告情報及び広告ＩＤと、当該店舗の店舗位置情報と、当該店舗に設置された機器の機器ＩＤとを、関連づけて記憶する広告情報記憶手段、前記携帯端末の前記ユーザＩＤ及びユーザ位置情報を、前記携帯端末から受信するユーザ位置情報取得手段、受信した前記ユーザ位置情報と前記店舗位置情報とに基づいて、前記店舗の前記広告ＩＤを選択する広告ＩＤ選択手段、受信した前記ユーザＩＤと、選択した前記広告ＩＤとを、対応づけて記憶する履歴記憶手段、選択した前記広告ＩＤに係る前記広告情報を、前記ユーザＩＤに係る前記携帯端末に送信する広告情報送信手段、前記携帯端末のユーザが訪れた前記店舗に設置された機器の機器ＩＤと、当該携帯端末の前記ユーザＩＤとを、ネットワークを介して取得する機器ＩＤ取得手段、取得した前記ユーザＩＤに対応づけて記憶された前記広告ＩＤと、取得した前記機器ＩＤとが、関連付けて記憶されているならば、前記携帯端末の前記ユーザが当該店舗に訪れたと判断する判断手段、として機能させるためのプログラムである。
第３の発明を汎用のコンピュータにインストールすることによって、第１の発明の広告配信サーバを得て、第２の発明の広告配信方法を実行することができる。
【００１５】
第４の発明は、ユーザＩＤを有する携帯端末とネットワークを介して接続された広告配信サーバと、店舗に設置された機器ＩＤを有する機器と、からなる広告配信システムであって、前記広告配信サーバは、店舗の広告情報及び広告ＩＤと、当該店舗の店舗位置情報と、当該店舗に設置された機器の機器ＩＤとを、関連づけて記憶する広告情報記憶手段と、前記携帯端末の前記ユーザＩＤ及びユーザ位置情報を、前記携帯端末から受信するユーザ位置情報取得手段と、受信した前記ユーザ位置情報と前記店舗位置情報とに基づいて、前記店舗の前記広告ＩＤを選択する広告ＩＤ選択手段と、受信した前記ユーザＩＤと、選択した前記広告ＩＤとを、対応づけて記憶する履歴記憶手段と、選択した前記広告ＩＤに係る前記広告情報を、前記ユーザＩＤに係る前記携帯端末に送信する広告情報送信手段と、前記携帯端末のユーザが訪れた前記店舗に設置された機器の機器ＩＤと、当該携帯端末の前記ユーザＩＤとを、当該機器から近距離無線通信により取得した前記携帯端末から、ネットワークを介して取得する機器ＩＤ取得手段と、取得した前記ユーザＩＤに対応づけて記憶された前記広告ＩＤと、取得した前記機器ＩＤとが、関連付けて記憶されているならば、前記携帯端末の前記ユーザが当該店舗に訪れたと判断する判断手段と、を備え、前記機器は、近距離無線通信により、前記機器ＩＤを前記携帯端末へ送信する送信手段を備えることを特徴とする広告配信システムである。
これにより、広告を閲覧した携帯端末のユーザが、実際の店舗に来店したか否かを判断することができる。また、これらのデータは広告提供主への成功報酬に利用できる。また、携帯端末は、機器から近距離無線通信（ＮＦＣ）によって、機器ＩＤを取得できるため、ＮＦＣを利用可能な携帯端末とともに、広告配信システムを実現することができる。
【００１６】
第５の発明は、ユーザＩＤを有する携帯端末とネットワークを介して接続された広告配信サーバと、店舗に設置された機器ＩＤを有する機器と、であって、店舗の広告情報及び広告ＩＤと、当該店舗の店舗位置情報と、当該店舗に設置された機器の機器ＩＤとを、関連づけて記憶する広告情報記憶手段と、前記携帯端末の前記ユーザＩＤ及びユーザ位置情報を、前記携帯端末から受信するユーザ位置情報取得手段と、受信した前記ユーザ位置情報と前記店舗位置情報とに基づいて、前記店舗の前記広告ＩＤを選択する広告ＩＤ選択手段と、受信した前記ユーザＩＤと、選択した前記広告ＩＤとを、対応づけて記憶する履歴記憶手段と、選択した前記広告ＩＤに係る前記広告情報を、前記ユーザＩＤに係る前記携帯端末に送信する広告情報送信手段と、前記携帯端末のユーザが訪れた前記店舗に設置された機器の機器ＩＤと、当該携帯端末の前記ユーザＩＤとを、前記機器から、ネットワークを介して取得する機器ＩＤ取得手段と、取得した前記ユーザＩＤに対応づけて記憶された前記広告ＩＤと、取得した前記機器ＩＤとが、関連付けて記憶されているならば、前記携帯端末の前記ユーザが当該店舗に訪れたと判断する判断手段と、を備え、前記機器は、前記携帯端末から取得した前記ユーザＩＤと、当該機器の機器ＩＤとを、ネットワークを介して前記広告配信サーバへ送信する送信手段を備えることを特徴とする広告配信システムである。
これにより、広告を閲覧した携帯端末のユーザが、実際の店舗に来店したか否かを判断することができる。また、これらのデータは広告提供主への成功報酬に利用できる。また、例えば、ＱＲコード（登録商標）や、ＡＲマーカー等の２次元コードを読み取り可能なコードリーダによって、携帯端末の情報が取得可能なため、当該コードリーダとともに、広告配信システムを実現することができる。
【発明の効果】
【００１７】
本発明によれば、位置情報に則して広告を受信した携帯端末の利用者が、実際の店舗に来店したか否かを確認するための広告配信サーバ等を提供することができる。
【図面の簡単な説明】
【００１８】
【図１】第１の実施形態に係る広告配信システム１００の全体構成図
【図２】第１の実施形態に係るコンテンツサーバ１のハードウエアの構成例を示すブロック図
【図３】第１の実施形態に係る携帯端末２のハードウエアの構成例を示すブロック図
【図４】第１の実施形態に係るコードリーダ装置５のハードウエアの構成例を示すブロック図
【図５】第１の実施形態に係るコンテンツサーバ１が記憶するデータ構成の一例を示す図
【図６】第１の実施形態に係る携帯端末２に駅情報提供アプリケーションをインストールする処理の詳細を示すフローチャート
【図７】第１の実施形態に係る広告配信処理の詳細を示すフローチャート
【図８】第１の実施形態に係る広告表示画面を説明する図
【図９】第１の実施形態に係る来店確認処理の詳細を示すフローチャート
【図１０】第１の実施形態に係るクーポン表示画面を説明する図
【図１１】第１の実施形態に係るサンキューメール表示画面を説明する図
【図１２】第２の実施形態に係る広告配信システム２００の全体構成図
【図１３】第２の実施形態に係る携帯端末２のハードウエアの構成例を示すブロック図
【図１４】第２の実施形態に係る広告配信処理の詳細を示すフローチャート
【図１５】第２の実施形態に係る広告表示画面を説明する図
【図１６】第２の実施形態に係る来店確認処理の詳細を示すフローチャート
【発明を実施するための形態】
【００１９】
以下、図面に基づいて、本発明の実施形態を詳細に説明する。
本発明の実施形態の広告配信システム１００、２００の一例は、以下の（ａ）〜（ｃ）を含む。
【００２０】
（ａ）携帯端末２に駅情報提供アプリケーションをインストールする。
（ｂ）駅に設置されるＷｉＦｉ（ワイファイ、wireless-fidelity）スポット３の無線信号を携帯端末２が検知すると、携帯端末２は駅情報提供アプリケーションを起動してコンテンツサーバ１にアクセスし、コンテンツサーバ１は検知された携帯端末２の位置周辺の店舗に関する広告を選択し、携帯端末２に送信する。
（ｃ）コンテンツサーバ１が、店舗に設置される機器のＩＤと携帯端末２のユーザＩＤを、携帯端末２または機器から受信すると、広告を閲覧したユーザが実際の店舗に来店したか否かを確認する。
【００２１】
ＷｉＦｉスポット３が設置される場所は、店舗が密集しているエリア内であれば、駅に代えて商店街、ショッピングモールなどでも良い。店舗に設置される機器とは、コードリーダ、ＩＣタグ、リーダライタなどである。駅情報提供アプリケーションとは、駅周辺エリアにいるユーザに適した広告をユーザの携帯端末２に自動配信するアプリケーションである。
【００２２】
＜第１の実施形態＞
図１〜図１１を参照しながら、第１の実施形態について説明する。
第１の実施形態では、ユーザの携帯端末２に表示された広告に関するＱＲコード（登録商標）を、店舗に設置されるコードリーダ装置５にて読み取ることで、携帯端末２を操作するユーザが広告に関連する店舗に来店したか否かを判断する例について説明する。
【００２３】
図１は、第１の実施形態に係る広告配信システム１００の全体構成図である。図１に示すように、広告配信システム１００は、駅情報提供アプリケーションを提供するコンテンツサーバ１、ユーザが利用する携帯端末２（２ａ、２ｂ）、駅に設置される無線ＬＡＮのアクセスポイント装置であるＷｉＦｉスポット３（３ａ、３ｂ）、携帯端末２が通話やデータの通信のために無線で接続する通信基地局４、ユーザが来店の際に利用するコードリーダ装置５（５ａ、５ｂ）、およびこれらが接続するネットワーク６で構成されている。
【００２４】
コンテンツサーバ１は、図５に示されるユーザ管理テーブル４１、広告コンテンツ管理テーブル４２、ＳＳＩＤ管理テーブル４３、アクセス履歴テーブル４４、かざし履歴テーブル４５と、駅情報提供アプリケーションを携帯端末２にインストールするのに必要となる駅情報提供アプリケーション用データベースを有する。詳細は後述する。
【００２５】
携帯端末２は、駅情報提供アプリケーションの会員ユーザが使用する携帯端末２であり、コンテンツサーバ１から送信される広告を表示する。また、携帯端末２は、ＷｉＦｉスポット３から出力される無線信号を受信すると、駅情報提供アプリケーションを起動する。
【００２６】
ＷｉＦｉスポット３とは、無線ＬＡＮのアクセスポイント装置であり、各ＷｉＦｉスポット３にはＷｉＦｉスポット３の識別子であるＳＳＩＤ（Service Set Identifier）が割り振られている。ＷｉＦｉスポット３はネットワーク６を介してコンテンツサーバ１と接続されていても良い。携帯端末２は、ＷｉＦｉスポット３を介してネットワーク６に接続しても良い。
【００２７】
図２は、コンテンツサーバ１のハードウエア構成例を示すブロック図である。コンテンツサーバ１のコンピュータは、図２に示すように、例えば、制御部１１、記憶部１２、メディア入出力部１３、通信制御部１４、入力部１５、表示部１６、周辺機器Ｉ／Ｆ部１７等が、バス１８を介して接続されて構成される。
【００２８】
制御部１１は、ＣＰＵ（Central Processing Unit）、ＲＯＭ（Read Only Memory）、ＲＡＭ（Random Access Memory）等により構成される。
ＣＰＵは、記憶部１２、ＲＯＭ、記憶媒体等に格納されるプログラムをＲＡＭ上のワークメモリ領域に呼び出して実行し、バス１８を介して接続された各装置を駆動制御し、コンテンツサーバ１が行う後述する処理を実現する。ＲＯＭは、不揮発性メモリであり、コンピュータのブートプログラムやＢＩＯＳ等のプログラム、データ等を恒久的に保持する。ＲＡＭは、揮発性メモリであり、ロードしたプログラムや、データ等を一時的に保持すると共に、制御部１１が各処理を行うために使用するワークエリアを備える。
【００２９】
記憶部１２は、ＨＤＤ（Hard Disk Drive）等であり、制御部１１が実行するプログラムや、プログラム実行に必要なデータ、ＯＳ（Operating System）等が格納されている。これらのプログラムコードは、制御部１１により必要に応じて読み出されてＲＡＭに移され、ＣＰＵに読み出されて実行される。
【００３０】
メディア入出力部１３は、例えば、ＣＤドライブ、ＤＶＤドライブ、ＭＯドライブ、フロッピー（登録商標）ディスクドライブ、等のメディア入出力装置であり、データの入出力を行う。
通信制御部１４は、通信制御装置、通信ポート等を有し、コンテンツサーバ１とネットワーク６間の通信を媒介する通信インターフェースであり、ネットワーク６を介して、他の装置間との通信制御を行う。
【００３１】
入力部１５は、データ入力を行い、例えば、キーボード、マウスなどのポインティングデバイス、テンキーなどの入力装置を有する。入力されたデータを制御部１１へ出力する。
表示部１６は、例えば、ＣＲＴモニタ、液晶パネル等のディスプレイ装置と、ディスプレイ装置と連携して表示処理を実行するための論理回路（ビデオアダプタ等）で構成され、制御部１１の制御により入力された表示情報をディスプレイ装置上に表示させる。
【００３２】
周辺機器Ｉ／Ｆ（インターフェース）１７部は、コンピュータに周辺機器を接続させるためのポートであり、周辺機器Ｉ／Ｆ部１７を介してコンピュータは周辺機器とのデータの送受信を行う。周辺機器Ｉ／Ｆ部１７は、ＵＳＢやＩＥＥＥ１３９４やＲＳ−２３２Ｃ等で構成されており、通常複数の周辺機器Ｉ／Ｆを有する。周辺機器との接続形態は、有線、無線を問わない。
バス１８は、各装置間の制御信号、データ信号等の授受を媒介する経路である。
【００３３】
図３は、携帯端末２のハードウエアの構成例を示すブロック図である。
【００３４】
制御部２１は、プログラムの実行を行うＣＰＵ（Central Processing
Unit）、プログラム命令やデータ等を格納するＲＯＭ（Read Only Memory）、一時的な作業用のデータ等を格納するＲＡＭ（Random Access Memory）等により構成される。
制御部２１の処理により、携帯端末２は通話機能のほかブラウザ機能、メール機能などを発揮する。
【００３５】
記憶部２２は、制御部２１が処理する情報のほか、携帯端末２にインストールされているアプリケーションプログラムや、電話番号及びメールアドレス等のアドレス帳データ等を記憶する。
通信制御部２３は、制御部２１の制御により、外部の通信機器と音声通信や情報通信を行うもので、通信基地局４に接続して、携帯端末２とネットワーク６上のコンテンツサーバ１との通信を仲介する。
【００３６】
入力部２４は、ボタンやタッチパネルなどであり、ユーザによって操作されて、データ入力が行われる。また、マイクなどの音声入力手段（図示せず）で、音声による入力を行ってもよい。入力されたデータを制御部２１へ出力する。
表示部２５は、有機ＥＬパネル、液晶パネル等であり、制御部２１から送られた表示情報を表示する。なお、入力部２４と表示部２５とを一体化させて、例えば、タッチパネル式の入出力装置を採用してもよい。
【００３７】
無線ＬＡＮ通信部２６は、ＷｉＦｉスポット３との間で行われる無線通信を制御するものであり、制御部２１の制御下で、ＷｉＦｉスポット３から送信される無線信号を受信する。
バス２７は、各装置間の制御信号、データ信号等の授受を媒介する経路である。
【００３８】
図４は、コードリーダ装置５のハードウエアの構成例を示すブロック図である。コードリーダ装置５のコンピュータは、図４に示すように、例えば、制御部３１、記憶部３２、メディア入出力部３３、通信制御部３４、入力部３５、表示部３６、周辺機器Ｉ／Ｆ部３７等が、バス３８を介して接続されて構成される。
制御部３１、記憶部３２、メディア入出力部３３、通信制御部３４、入力部３５、表示部３６、周辺機器Ｉ／Ｆ部３７、バス３８の説明は、図２の制御部１１、記憶部１２、メディア入出力部１３、通信制御部１４、入力部１５、表示部１６、周辺機器Ｉ／Ｆ部１７、バス１８と同じであるため省略する。
【００３９】
図４に示すコードリーダ３９は、携帯端末２の表示部２５に表示されるＱＲコード（登録商標）等のコードを読み取る装置である。コードリーダ３９は、光源と光センサーとを有し、光源の発した光がコードに当たって反射する様子を光センサーで検知し、対応する数値データに変換する。コードリーダ３９は、周辺機器Ｉ／Ｆ部３７を介してコードリーダ装置５に接続される。コードリーダ３９は、読み取った数値データを制御部３１に出力する。制御部３１は、取得したデータをＲＡＭまたは記憶部３２の所定のメモリ領域に記憶する。
【００４０】
続いて、図５を参照してコンテンツサーバ１が記憶するデータ構成について説明する。コンテンツサーバ１の記憶部１２には、駅情報提供アプリケーション用データベース（図示せず）、ユーザ管理テーブル４１、広告コンテンツ管理テーブル４２、ＳＳＩＤ管理テーブル４３、アクセス履歴テーブル４４、かざし履歴テーブル４５が記憶される。
【００４１】
ユーザ管理テーブル４１は、携帯端末２が駅情報提供アプリケーションを初めて起動する際に作成される。ユーザ管理テーブル４１には、ユーザＩＤ、１または複数のユーザ属性が格納される。また、ユーザ属性は無くても良い。ユーザＩＤとは、携帯端末２の個体を識別する識別子、または、駅情報提供アプリケーションを識別する識別子であり、個体を識別する識別子とは、例えば、ＵＤＩＤ（Unique Device Identifier）、端末シリアル番号などであり、アプリケーションを識別する識別子とは、例えば、ＵＵＩＤ（Universally Unique Identifier）などである。
【００４２】
ユーザ属性とは、性別、年齢、趣味などが格納され、後述する広告配信処理（図７、図１４参照）において、ユーザの嗜好に合った広告コンテンツを選択することが可能となる。
【００４３】
また、ユーザ管理テーブル４１には、来店ポイントを格納しても良い。来店ポイントとは、コンテンツサーバ１が来店確認処理（図９、図１６参照）を実行して、ユーザＩＤの携帯端末２を操作するユーザの来店を確認した場合に、繰り上がる数値である。来店ポイントに応じて該当するユーザに、特典を与えることができる。
【００４４】
広告コンテンツ管理テーブル４２には、アプリケーションによって表示される広告コンテンツのコンテンツＩＤ，店舗名などの名称、店舗の住所、広告コンテンツのターゲットを示すコンテンツ属性、広告コンテンツが置かれているＵＲＬ、該当店舗に設置されるコードリーダ装置５（図１参照）またはＩＣタグ７（図１２参照）の識別子、特典コンテンツが置かれるＵＲＬなどの情報が予め登録されている。また、来店者数とは、後述する来店確認処理にて広告を閲覧したユーザが実際の店舗に来店したことが確認された場合に繰り上がる数値である。
【００４５】
ＳＳＩＤ管理テーブル４３には、ＷｉＦｉスポット３をする識別子であるＳＳＩＤ、ＷｉＦｉスポット３の住所などが、予め登録されている。
【００４６】
アクセス履歴テーブル４４には、コンテンツサーバ１が携帯端末２から位置情報を受信するごとに、ユーザＩＤ、携帯端末２の所在地、コンテンツサーバ１が携帯端末２から所在地を受信した日時、コンテンツサーバ１が携帯端末２に送信した広告のコンテンツＩＤが、コンテンツサーバ１によって関連付けて保存される。保存されるコンテンツＩＤは、コンテンツサーバ１が携帯端末２に送信した広告コンテンツの中で、携帯端末２が表示要求した広告のコンテンツＩＤであっても良い。第１の実施形態においては、アクセス履歴テーブル４４にコンテンツＩＤを記憶しなくても良い。
【００４７】
また、アクセス履歴テーブル４４の所在地とは、携帯端末２が受信したＳＳＩＤや、携帯端末２のＧＰＳユニット（図示せず）にて受信した携帯端末２の位置情報である。
【００４８】
かざし履歴テーブル４５には、実際の店舗でユーザが携帯端末２をコードリーダ装置５またはＩＣタグ７（図１２参照）にかざすごとに、ユーザＩＤ、かざし日時、コードリーダ装置５の識別子であるコードリーダＩＤまたはＩＣタグ７の識別子であるタグＩＤが、コンテンツサーバ１によって関連付けて保存される。また、第１の実施形態においては、かざし履歴テーブル４５にコードリーダ装置５が受信したコンテンツＩＤを記憶する。
【００４９】
コンテンツサーバ１は、ユーザ管理テーブル４１、広告コンテンツ管理テーブル４２、ＳＳＩＤ管理テーブル４３およびアクセス履歴テーブル４４の情報に基づいて、携帯端末２のユーザの所在地および嗜好に合った広告を選択して、携帯端末２に配信する。また、コンテンツサーバ１は、広告コンテンツ管理テーブル４２、アクセス履歴テーブル４４およびかざし履歴テーブル４５の情報に基づいて、携帯端末２のユーザが実際の店舗に来店したか否かを判断する。
【００５０】
続いて、携帯端末２に駅情報提供アプリケーションをインストールする処理について図６を参照して説明する。
【００５１】
図６に示すように、携帯端末２の制御部２１は、ネットワーク６を介してコンテンツサーバ１のサイトにアクセスし、コンテンツサーバ１に駅情報提供アプリケーションのダウンロードを要求する（ステップＳ１０１）。携帯端末２の制御部２１は、メールや２次元バーコード等により、駅情報提供アプリケーションをダウンロードするための初期ＵＲＬを取得して、コンテンツサーバ１にアクセスしても良い。
【００５２】
コンテンツサーバ１の制御部１１は、携帯端末２から送信されるパラメータから不正等が行われていないかどうか判断し、携帯端末２に駅情報提供アプリケーションのダウンロードを許可する（ステップＳ１０２）
【００５３】
コンテンツサーバ１の制御部１１は、アプリケーションごとに割り振られる識別子とユーザ管理テーブル４１を作成して（ステップ１０３）、ユーザ管理テーブル４１のユーザＩＤに作成した識別子を格納し、記憶部１２に記憶させる。
【００５４】
携帯端末２の制御部２１は、コンテンツサーバ１の記憶部１２に記憶される駅情報提供アプリケーション用データベースから、駅情報提供アプリケーションをダウンロードして、携帯端末２の記憶部２２にインストールする（ステップ１０４）。また、携帯端末２の制御部２１は、コンテンツサーバ１のユーザ管理テーブル４１に格納されるユーザＩＤを、携帯端末２の記憶部２２に記憶させる。
【００５５】
携帯端末２の制御部２１は、コンテンツサーバ１にダウンロード完了を通知する（ステップＳ１０５）。
【００５６】
コンテンツサーバ１の制御部１１は、駅情報提供アプリケーションの登録画面（図示せず）を携帯端末２に送信し、携帯端末２の表示部２５に表示させる(ステップＳ１０６)。
【００５７】
携帯端末２の制御部２１は、表示された登録画面において入力部２４から性別、年齢、趣味、最寄り駅、メールアドレス等のユーザ情報の入力を受付け（ステップＳ１０７）、コンテンツサーバ１にユーザ情報を送信する（ステップＳ１０８）。
【００５８】
コンテンツサーバ１の制御部１１は、受信したユーザ情報を、記憶部１２に記憶される、該当する携帯端末２のユーザ管理テーブル４１に格納する（ステップＳ１０９）。
【００５９】
以上のようにして、携帯端末２には、コンテンツサーバ１から駅情報提供アプリケーションがダウンロードされて、実行可能な状態にインストールされる。コンテンツサーバ１には、駅情報提供アプリケーションがダウンロードされたユーザのユーザ管理テーブル４１が記憶される。
【００６０】
続いて、図７と図８を参照して、コンテンツサーバ１が携帯端末２に広告を配信する広告配信処理について説明する。広告配信処理とは、携帯端末２を所持するユーザが、ＷｉＦｉスポット３のエリア内に入り、携帯端末２がＷｉＦｉスポット３の無線信号を受信した場合に、コンテンツサーバ１の制御部１１と携帯端末２の制御部２１とが実行する処理である。
【００６１】
携帯端末２の記憶部２２には、図６に示す処理によって予め駅情報提供アプリケーションがインストールされているものとする。また、コンテンツサーバ１の記憶部１２には、予め、広告コンテンツ管理テーブル４２と、ＳＳＩＤ管理テーブル４３と、図６に示す処理によって作成された携帯端末２のユーザ管理テーブル４１とが記憶されているものとする。
【００６２】
図７は、広告配信処理の詳細を示すフローチャートである。
ＷｉＦｉスポット３は、ＳＳＩＤに関する情報を含む無線信号を発信する（ステップＳ２０１）。携帯端末２の制御部２１は、携帯端末２の無線ＬＡＮ通信部２６を介して、ＷｉＦｉスポット３の無線信号を受信する（ステップＳ２０２）。
【００６３】
携帯端末２の制御部２１は、携帯端末２の記憶部２２に記憶される駅情報提供アプリケーションを起動させる（ステップＳ２０３）。
【００６４】
即ち、携帯端末２を所持するユーザが、ＷｉＦｉスポット３が発信する無線信号を受信可能なエリア内に入り、携帯端末２が無線信号を受信すると、予めインストールされている駅情報提供アプリケーションが起動される。
【００６５】
携帯端末２の制御部２１は、携帯端末２の記憶部２２に記憶されるユーザＩＤと、Ｓ２０２にて受信したＷｉＦｉスポット３のＳＳＩＤを、コンテンツサーバ１に送信する（ステップＳ２０４）。
【００６６】
コンテンツサーバ１の制御部１１は、携帯端末２からユーザＩＤとＳＳＩＤを受信すると、受信した日時（アクセス日時）を取得し、不正等が無いことを確認する（ステップＳ２０５）。
【００６７】
続いて、コンテンツサーバ１の制御部１１は、アクセス履歴テーブル４４を作成して、受信したユーザＩＤ、ＳＳＩＤと、アクセス日時とを格納し、記憶部１２に記憶させる（ステップＳ２０６）。
【００６８】
コンテンツサーバ１の制御部１１は、ＳＳＩＤ管理テーブル４３から受信したＳＳＩＤの住所と、広告コンテンツ管理テーブル４２内の住所とを取得して、ＳＳＩＤの住所と近いエリアのコンテンツＩＤを広告コンテンツ管理テーブル４２から抽出する（ステップＳ２０７）。
【００６９】
コンテンツサーバ１の制御部１１は、さらに、ユーザ管理テーブル４１から受信したユーザＩＤのユーザ属性と、広告コンテンツ管理テーブル４２内のコンテンツ属性とを取得して、ユーザの属性に合ったコンテンツＩＤを選択してもよい。
【００７０】
コンテンツサーバ１の制御部１１は、抽出したコンテンツＩＤを、ステップＳ２０６にて生成したアクセス履歴テーブル４４に格納して、記憶部１２に記憶させる（ステップＳ２０８）。
【００７１】
コンテンツサーバ１の制御部１１は、ステップＳ２０７にて抽出したコンテンツＩＤと、該当するユーザＩＤとに基づいて、コンテンツＩＤごとにＱＲコード（登録商標）を生成する (ステップＳ２０９)。
【００７２】
コンテンツサーバ１の制御部１１は、記憶部１２に記憶される広告コンテンツ管理テーブル４２から、ステップＳ２０７にて抽出したコンテンツＩＤの名称、住所、コンテンツ表示情報を取得して、Ｓ２０９にて生成されたＱＲコード（登録商標）と合わせて、該当するユーザＩＤの携帯端末２に送信する（ステップＳ２１０）。
【００７３】
携帯端末２の制御部２１は、コンテンツサーバ１から広告のコンテンツ表示情報等を受信して（ステップＳ２１１）、携帯端末２の表示部２５に広告表示画面５０を出力して（ステップＳ２１２）処理を終了する。
【００７４】
図８は、広告表示画面５０の表示例である。広告表示画面５０には、ユーザに提示されるアプリケーション名５１と、該当するエリア名５２とが配置され、それぞれのコンテンツごとに、店舗名５３と、広告情報５４と、ＱＲコード（登録商標）５５と、該当する店舗の場所を表す店舗案内情報５６とが、配置される。広告表示画面５０には、１または複数の広告コンテンツが配置されており、ユーザは画面をスクロールすることで、それらの広告情報５４を閲覧することができる。
【００７５】
また、ステップＳ２０４において、携帯端末２はＳＳＩＤに代えて、携帯端末２のＧＰＳユニット（図示せず）によって受信した位置情報を、コンテンツサーバ１に送信しても良い。その場合、コンテンツサーバ１の制御部１１はステップＳ２０７において、ステップＳ２０４にて受信した位置情報と、広告コンテンツ管理テーブル４２内の住所とに基づいて、携帯端末２の所在地と近いエリアのコンテンツＩＤを広告コンテンツ管理テーブル４２から抽出する。
【００７６】
以上のように、コンテンツサーバ１は、携帯端末２を所持するユーザが存在するエリアを認識すると、該当するエリアに合わせた広告情報を配信することができる。
【００７７】
次に、図９〜図１１を参照して、図７に示す広告配信処理が実行されて、コンテンツサーバ１から広告を受信した携帯端末２のユーザが、実際の店舗に来店したことを、コンテンツサーバ１が確認する来店確認処理について説明する。来店確認処理とは、携帯端末２を操作するユーザが、コンテンツサーバ１から受信した広告を閲覧したことをきっかけに店舗に来店し、該当する広告のＱＲコード（登録商標）を携帯端末２に表示して、店舗に設置されるコードリーダ装置５にかざした場合に、コードリーダ装置５の制御部３１とコンテンツサーバ１の制御部１１とが実行する処理である。
【００７８】
携帯端末２の記憶部２２には、図６に示す処理によって予め駅情報提供アプリケーションがインストールされているものとする。また、コンテンツサーバ１の記憶部１２には、予め、図６に示す処理によって作成された携帯端末２のユーザ管理テーブル４１と、広告コンテンツ管理テーブル４２と、図７に示す処理によって作成されたアクセス履歴テーブル４４とが記憶されているものとする。
【００７９】
図９は、来店確認処理の詳細を示すフローチャートである。
図９に示すように、来店時にユーザにより操作されることで、携帯端末２の制御部２１は、記憶部２２に記憶される駅情報提供アプリケーションを起動させて（ステップＳ３０１）、表示部２５に、ユーザによって選択された該当する店舗の広告の広告表示画面５０（図８参照）を表示して（ステップＳ３０２）、店舗に設置されるコードリーダ装置５のコードリーダ３９にかざす。
【００８０】
コードリーダ装置５のコードリーダ３９は、広告表示画面５０に配置されるＱＲコード（登録商標）５５に格納されるコード情報を読み取って、コードリーダ装置５の制御部３１に出力する（ステップＳ３０３）。また、コードリーダ装置５の制御部３１は、出力された日時を、携帯端末２がコードリーダ装置５にかざした日時（かざし日時）として取得する。
【００８１】
コードリーダ装置５の制御部３１は、ユーザＩＤとコンテンツＩＤとに関する情報を含むコード情報と、コードリーダ装置５の記憶部３２に記憶されるコードリーダＩＤと、かざし日時とをコンテンツサーバ１に送信する（ステップＳ３０４）。
【００８２】
コンテンツサーバ１の制御部１１は、携帯端末２からコード情報と、コードリーダＩＤと、かざし日時とを受信すると、不正等が無いことを確認して、コード情報からユーザＩＤとコンテンツＩＤとを取得する（ステップＳ３０５）。
【００８３】
コンテンツサーバ１の制御部１１は、かざし履歴テーブル４５を作成して、受信したユーザＩＤと、コンテンツＩＤと、コードリーダＩＤと、かざし日時とを格納して、記憶部１２に記憶させる（ステップＳ３０６）。
【００８４】
コンテンツサーバ１の制御部１１は、記憶部１２に記憶される広告コンテンツ管理テーブル４２を参照して、かざし履歴テーブル４５内のコンテンツＩＤとコードリーダＩＤとが、同じ店舗に関連するものであるか否かを判断する（ステップＳ３０７）。
【００８５】
同じ店舗に関連しない場合には（ステップＳ３０７のＮｏ）、コンテンツサーバ１の制御部１１は、ステップＳ３０５にて受信したユーザＩＤの携帯端末２にエラーメッセージを送信し（ステップＳ３０８）、携帯端末２の制御部２１は、エラーメッセージを受信して（ステップＳ３０９）処理を終了する。
【００８６】
同じ店舗に関連する場合は（ステップＳ３０７のＹｅｓ）、コンテンツサーバ１の制御部１１は、ステップＳ３０５にて受信したユーザＩＤのアクセス履歴テーブル４４と、ステップＳ３０６にて作成したかざし履歴テーブル４５を照合する（ステップＳ３１０）。
【００８７】
コンテンツサーバ１の制御部１１は、アクセス履歴テーブル４４のアクセス日時と、かざし履歴テーブル４５のかざし日時とが、所定の時間内か否かを判定する（ステップＳ３１１）。来店確認処理は、携帯端末２のユーザが広告を閲覧したことをきっかけにして来店したか否かを確認するものであり、ユーザが広告を閲覧した（アクセス日時）後で、所定の時間内（例えば、２４時間以内など）に実際の店舗へ来店して、携帯端末２をコードリーダ装置５にかざした（かざし日時）ことを確認する。
【００８８】
所定の時間内ではない場合（ステップＳ３１１のＮｏ）には、コンテンツサーバ１の制御部１１は、ステップＳ３０５にて受信したユーザＩＤの携帯端末２にエラーメッセージを送信し（ステップＳ３１２）、携帯端末２の制御部２１は、エラーメッセージを受信して（ステップＳ３１３）処理を終了する。
【００８９】
所定の時間内である場合（ステップＳ３１１のＹｅｓ）には、コンテンツサーバ１の制御部１１は、携帯端末２のユーザが実際の店舗に来店したと判断し、広告コンテンツ管理テーブル４２から、ステップＳ３０５にて受信したコンテンツＩＤのクーポン情報を取得し、クーポン情報の特典コンテンツをステップＳ３０５にて受信したユーザＩＤの携帯端末２に送信する（ステップＳ３１４）。
【００９０】
携帯端末２の制御部２１は、コンテンツサーバ１から特典コンテンツを受信し（ステップＳ３１５）、表示部２５にクーポン画面６３を表示する(ステップＳ３１６)。
【００９１】
図１０は、クーポン画面６３の表示例である。図１０に示すようにクーポン画面６３には、ユーザが実際の店舗で特典を得られるクーポンと呼ばれる割引や優待などの情報が表示される。
【００９２】
図９の説明に戻る。コンテンツサーバ１の制御部１１は、ステップＳ３１４を実行すると、ステップＳ３０５にて受信したコンテンツＩＤの広告コンテンツ管理テーブル４２内の来店者数を繰り上げて、記憶部１２に記憶させる（ステップＳ３１７）。
【００９３】
コンテンツサーバ１の制御部１１は、ステップＳ３０５にて受信したユーザＩＤの携帯端末２に、サンキューメッセージを送信する（ステップＳ３１８）。
【００９４】
携帯端末２の制御部２１は、コンテンツサーバ１からサンキューメッセージを受信し、サンキューメール表示画面６５を表示部２５に出力して（ステップＳ３１９）処理を終了する。
【００９５】
図１１は、サンキューメール表示画面６５の表示例である。図１１に示すようにサンキューメール表示画面６５には、ユーザに対して来店を感謝するメッセージが表示される。
【００９６】
以上のように、実際の店舗に携帯端末２のユーザが来店して、携帯端末２にＱＲコード（登録商標）を含む広告表示画面５０を表示してコードリーダ装置５にかざすと、コードリーダ装置５は、コードリーダＩＤとＱＲコード（登録商標）のコード情報とかざし日時とをコンテンツサーバ１に送信する。コンテンツサーバ１は、受信したコード情報に含まれるコンテンツＩＤとコードリーダＩＤとが、広告コンテンツ管理テーブル４２にて対応付けて記憶されているか否かを判断し、対応付けて記憶されている場合に、受信したコード情報に含まれるユーザＩＤのユーザが広告を閲覧して実際の店舗に来店したことを判断することができる。
【００９７】
なお、ステップＳ３０６にて、コンテンツサーバ１は、かざし履歴テーブル４５に、ユーザＩＤとコンテンツＩＤとコードリーダＩＤとかざし日時とを格納したが、コンテンツＩＤを格納せずに、ユーザＩＤとコードリーダＩＤとかざし日時とを格納しても良い。
この場合は、ステップＳ３０７にて、コンテンツサーバ１は、同じユーザＩＤについてのアクセス履歴テーブル４４とかざし履歴テーブル４５を照合し、アクセス履歴テーブル４４内のコンテンツＩＤとかざし履歴テーブル４５内のコードリーダＩＤとが、広告コンテンツ管理テーブル４２において同じ店舗に関係するものか否かを判断する。
【００９８】
＜第２の実施形態＞
図１２〜図１６を参照しながら、第２の実施形態について説明する。
第２の実施形態では、携帯端末２を操作するユーザが店舗に設置されるＩＣチップ７に携帯端末２をかざすことで、広告に関連する店舗に来店したか否かをコンテンツサーバ１が判断する例について説明する。
【００９９】
本実施形態は以下の点で、第１の実施形態の場合と異なる。
１．コードリーダ装置５を用いずに、代わりにＩＣチップ７を用いる。この場合、ＩＣチップ７のタグＩＤはコンテンツサーバ１の広告コンテンツ管理テーブル４２の機器ＩＤに予め記憶される。
２．広告配信処理において、コンテンツサーバ１は、ＱＲコード（登録商標）を送信せずに広告コンテンツのみを送信する。即ち、コンテンツサーバ１と携帯端末２は、図７に示す第１の実施形態の広告配信処理に代えて、図１４に示す第２の実施形態の広告配信処理を実行する。
３．来店確認処理において、来店を確認する情報は、コードリーダ装置５に代えて、携帯端末２からコンテンツサーバ１に送信される。また、第１の実施形態ではコードリーダ装置５から送信されるコンテンツＩＤとコードリーダＩＤとによって来店確認が行われるが、第２の実施形態で携帯端末２から送信されるタグＩＤとコンテンツサーバ１のアクセス履歴テーブル４４に格納されるコンテンツＩＤとによって来店確認が行われる。即ち、コンテンツサーバ１は、図９に示す第１の実施形態の広告配信処理に代えて、図１６に示す第２の実施形態の広告配信処理を実行する。
【０１００】
図１２は、第２の実施形態に係る広告配信システム２００の全体構成図である。図１２に示すように、広告配信システム２００は、駅情報提供アプリケーションを提供するコンテンツサーバ１、ユーザが利用する携帯端末２、駅に設置される無線ＬＡＮのアクセスポイント装置であるＷｉＦｉスポット３、携帯端末２が通話やデータの通信のために無線で接続する通信基地局４、およびこれらか接続するネットワーク６と、ユーザが来店の際に利用するＩＣチップ７で構成されている。
【０１０１】
コンテンツサーバ１は、図５に示されるユーザ管理テーブル４１、広告コンテンツ管理テーブル４２、ＳＳＩＤ管理テーブル４３、アクセス履歴テーブル４４、かざし履歴テーブル４５と、駅情報提供アプリケーションを携帯端末２にインストールするのに必要となる駅情報提供アプリケーション用データベースを有する。コンテンツサーバ１のハードウエア構成は、第１の実施形態と同じである。      
【０１０２】
携帯端末２は、駅情報提供アプリケーションの会員ユーザが使用する携帯端末２であり、コンテンツサーバ１から送信される広告を表示する。また、携帯端末２は、ＷｉＦｉスポット３から出力される電波信号を受信すると、駅情報提供アプリケーションを起動する。
【０１０３】
ＷｉＦｉスポット３とは、無線ＬＡＮのアクセスポイントであり、各ＷｉＦｉスポットにはＷｉＦｉスポット３の識別子であるＳＳＩＤが割り振られている。ＷｉＦｉスポット３はネットワーク６を介してコンテンツサーバ１と接続されていても良い。携帯端末２は、ＷｉＦｉスポット３を介してネットワーク６に接続しても良い。
【０１０４】
ＩＣタグ７は、コイルアンテナ８とＩＣチップ９を有していて、携帯端末２のリーダライタ２０のアンテナ３０が発する磁界に反応して、ＩＣチップ９に収められた情報をコイルアンテナ８から発信する。コイルアンテナ８が発する信号はリーダライタ２０が受け取る。すなわち、携帯端末２のリーダライタ２０とＩＣタグ７とは、非接触で通信する。
【０１０５】
続いて、第２の実施形態に係る携帯端末２のハードウエア構成の一例について、図１３を参照して説明する。図３に示す第１の実施形態に係る携帯端末２のハードウエア構成に加えて、ＩＣチップ２８と、アンテナ３０を有する近距離通信モジュール２９とがバス２７を介して接続される。
【０１０６】
ＩＣチップ２８は、電子マネー、電子乗車券、個人識別などの情報処理および情報記録を行う専用ＩＣである。ＩＣチップとしては、例えば、ＦｅｌｉＣａ（登録商標）チップ、ＮＦＣ（Near Field Communication）チップなどがある。
【０１０７】
近距離通信モジュール２９は近距離無線通信用の処理装置で、近距離無線通信用のアンテナ３０と組み合わせて、携帯電話やタブレットＰＣなどの携帯端末が数センチメートル程度の通信を行えるようにするものである。近距離通信モジュール２９の通信技術としては、例えば、ＮＦＣ（Near Field Communication）などがある。
【０１０８】
携帯端末２は、近距離通信モジュール２９とアンテナ３０によって、近距離無線通信用のリーダライタ２０としての機能を持つ。さらにＩＣチップ２８との組み合わせによって、携帯端末２は非接触ＩＣカードとしての機能を持つ。
【０１０９】
続いて、図１４と図１５を参照して、コンテンツサーバ１が携帯端末２に広告を配信する広告配信処理について説明する。広告配信処理とは、携帯端末２を所持するユーザが、ＷｉＦｉスポット３のエリア内に入り、携帯端末２がＷｉＦｉスポット３の無線信号を受信した場合に、コンテンツサーバ１の制御部１１と携帯端末２の制御部２１とが実行する処理である。
【０１１０】
携帯端末２の記憶部２２には、図６に示す処理によって予め駅情報提供アプリケーションがインストールされているものとする。また、コンテンツサーバ１の記憶部１２には、予め、広告コンテンツ管理テーブル４２と、ＳＳＩＤ管理テーブル４３と、図６に示す処理によって作成された携帯端末２のユーザ管理テーブル４１とが記憶されているものとする。
【０１１１】
図１４は、本実施形態の広告配信処理の詳細を示すフローチャートである。
ＷｉＦｉスポット３は、ＳＳＩＤに関する情報を含む無線信号を発信する（ステップＳ４０１）。携帯端末２の制御部２１は、携帯端末２の無線ＬＡＮ通信部２６を介して、ＷｉＦｉスポット３の無線信号を受信する（ステップＳ４０２）。
【０１１２】
携帯端末２の制御部２１は、携帯端末２の記憶部２２に記憶される駅情報提供アプリケーションを起動する（ステップＳ４０３）。
【０１１３】
即ち、携帯端末２を所持するユーザが、ＷｉＦｉスポット３が発信する無線信号を受信可能なエリア内に入り、携帯端末２が無線信号を受信すると、予めインストールされている駅情報提供アプリケーションが起動される。
【０１１４】
携帯端末２の制御部２１は、携帯端末２の記憶部２２に記憶されるユーザＩＤと、Ｓ４０２にて受信したＷｉＦｉスポット３のＳＳＩＤを、コンテンツサーバ１に送信する（ステップＳ４０４）。
【０１１５】
コンテンツサーバ１の制御部１１は、携帯端末２からユーザＩＤとＳＳＩＤを受信すると、受信した日時（アクセス日時）を取得し、不正等が無いことを確認する（ステップＳ４０５）。
【０１１６】
続いて、コンテンツサーバ１の制御部１１は、アクセス履歴テーブル４４を作成して、受信したユーザＩＤ、ＳＳＩＤと、アクセス日時とを格納し、記憶部１２に記憶させる（ステップＳ４０６）。
【０１１７】
コンテンツサーバ１の制御部１１は、ＳＳＩＤ管理テーブル４３から受信したＳＳＩＤの住所と、広告コンテンツ管理テーブル４２内の住所とを取得して、ＳＳＩＤの住所と近いエリアのコンテンツＩＤを広告コンテンツ管理テーブル４２から抽出する（ステップＳ４０７）。
【０１１８】
コンテンツサーバ１の制御部１１は、さらに、記憶部１２に記憶されるユーザ管理テーブル４１から受信したユーザＩＤのユーザ属性と、記憶部１２に記憶される広告コンテンツ管理テーブル４２内のコンテンツ属性とを取得して、ユーザの属性に合ったコンテンツＩＤを選択してもよい。
【０１１９】
コンテンツサーバ１の制御部１１は、抽出されたコンテンツＩＤを、ステップＳ４０６にて生成したアクセス履歴テーブル４４に格納して、記憶部１２に記憶させる（ステップＳ４０８）。
【０１２０】
コンテンツサーバ１の制御部１１は、記憶部１２に記憶される広告コンテンツ管理テーブル４２から、ステップＳ４０７にて抽出したコンテンツＩＤの名称、住所、コンテンツ表示情報を取得して、該当するユーザＩＤの携帯端末２に送信する（ステップＳ４０９）。
【０１２１】
携帯端末２の制御部２１は、コンテンツサーバ１から広告のコンテンツ表示情報等を受信して（ステップＳ４１０）、携帯端末２の表示部２５に広告表示画面５０を出力する（ステップＳ４１１）。
【０１２２】
図１５は、広告表示画面７０の表示例である。広告表示画面７０には、ユーザに提示されるアプリケーション名７１と、該当するエリア名７２とが配置され、それぞれのコンテンツごとに、店舗名７３と、広告情報７４と、該当する店舗の場所を表す店舗案内情報７５とが、配置される。広告表示画面７０には、１または複数の広告コンテンツが配置されており、ユーザは画面をスクロールすることで、それらの広告情報７４を閲覧することができる。
【０１２３】
また、ステップＳ４０４において、携帯端末２はＳＳＩＤに代えて、携帯端末２のＧＰＳユニット（図示せず）によって受信した位置情報を、コンテンツサーバ１に送信しても良い。その場合、コンテンツサーバ１の制御部１１はステップＳ４０７において、ステップＳ４０４にて受信した位置情報と、広告コンテンツ管理テーブル４２内の住所とに基づいて、携帯端末２の所在地と近いエリアのコンテンツＩＤを広告コンテンツ管理テーブル４２から抽出する。
【０１２４】
以上のように、コンテンツサーバ１は、携帯端末２を所持するユーザが存在するエリアを認識すると、該当するエリアに合わせた広告情報を配信することができる。
【０１２５】
次に、図１６を参照して、図１４に示す広告配信処理が実行されて、コンテンツサーバ１から広告を受信した携帯端末２のユーザが、実際の店舗に来店したことをコンテンツサーバ１が確認する来店確認処理について説明する。来店確認処理とは、携帯端末２を操作するユーザが、コンテンツサーバ１から受信した広告を閲覧したことをきっかけに店舗に来店し、携帯端末２を店舗に設置されるＩＣタグ７にかざした場合に、携帯端末２とコンテンツサーバ１の制御部１１とが実行する処理である。
【０１２６】
携帯端末２の記憶部２２には、図６に示す処理によって予め駅情報提供アプリケーションがインストールされているものとする。また、コンテンツサーバ１の記憶部１２には、予め、図６に示す処理によって作成された携帯端末２のユーザ管理テーブル４１と、広告コンテンツ管理テーブル４２と、図１４に示す処理によって作成されたアクセス履歴テーブル４４とが記憶されているものとする。
【０１２７】
図１６は、来店確認処理の詳細を示すフローチャートである。
図１６に示すように、来店時にユーザは、携帯端末２をＩＣタグ７にかざすと、携帯端末２のリーダライタ２０は、ＩＣタグ７に対してリードコマンドを送る(ステップＳ５０１)。
【０１２８】
ＩＣタグ７は、携帯端末２のリーダライタ２０からリードコマンドを受け取ると（ステップＳ５０２）、携帯端末２のリーダライタ２０にアプリケーション起動コマンドとタグＩＤを渡す（ステップＳ５０３）。
【０１２９】
続いて、携帯端末２のリーダライタ２０は、携帯端末２の制御部２１にアプリケーション起動コマンドとタグＩＤを渡し、携帯端末２の制御部２１は、駅情報提供アプリケーションを起動する。また、制御部２１は、アプリケーションを起動した日時を、携帯端末２をＩＣタグ７にかざした日時(かざし日時)として取得する(ステップＳ５０４)。
【０１３０】
携帯端末２の制御部２１は、携帯端末２の記憶部２２に記憶されるユーザＩＤと、タグＩＤと、かざし日時とをコンテンツサーバ１に送信する（ステップＳ５０５）。
【０１３１】
コンテンツサーバ１の制御部１１は、携帯端末２からユーザＩＤと、タグＩＤと、かざし日時とを受信すると、不正等が無いことを確認する（ステップＳ５０６）。
【０１３２】
コンテンツサーバ１の制御部１１は、かざし履歴テーブル４５を作成して、受信したユーザＩＤと、タグＩＤと、かざし日時とを格納して、記憶部１２に記憶させる（ステップＳ５０７）。
【０１３３】
コンテンツサーバ１の制御部１１は、ステップＳ５０７にて作成したかざし履歴テーブル４５のタグＩＤと、受信したユーザＩＤのアクセス履歴テーブル４４のコンテンツＩＤについて、広告コンテンツ管理テーブル４２を参照して、コンテンツＩＤとタグＩＤとが、同じ店舗に関連するものであるか否かを判断する（ステップＳ５０８）。
【０１３４】
同じ店舗に関連しない場合には（ステップＳ５０８のＮｏ）、コンテンツサーバ１の制御部１１は、ステップＳ５０６にて受信したユーザＩＤの携帯端末２にエラーメッセージを送信し（ステップＳ５０９）、携帯端末２の制御部２１は、エラーメッセージを受信して（ステップＳ５１０）処理を終了する。
【０１３５】
同じ店舗に関連する場合は（ステップＳ５０８のＹｅｓ）、コンテンツサーバ１の制御部１１は、ステップＳ５０６にて受信したユーザＩＤのアクセス履歴テーブル４４と、ステップＳ５０７にて作成したかざし履歴テーブル４５を照合する（ステップＳ５１１）。
【０１３６】
コンテンツサーバ１の制御部１１は、アクセス履歴テーブル４４のアクセス日時と、かざし履歴テーブル４５のかざし日時とが、所定の時間内か否かを判定する（ステップＳ５１２）。
【０１３７】
所定の時間内ではない場合（ステップＳ５１２のＮｏ）には、コンテンツサーバ１の制御部１１は、ステップ５０６にて受信したユーザＩＤの携帯端末２にエラーメッセージを送信し（ステップＳ５１３）、携帯端末２の制御部２１は、エラーメッセージを受信して（ステップＳ５１４）処理を終了する。
【０１３８】
所定の時間内である場合（ステップＳ５１２のＹｅｓ）には、コンテンツサーバ１の制御部１１は、携帯端末２のユーザが実際の店舗に来店したと判断し、広告コンテンツ管理テーブル４２から、ステップＳ５０６にて受信したタグＩＤに該当する広告コンテンツ管理テーブル４２を選択して、来店者数を繰り上げて記憶させ（ステップＳ５１５）、さらに、特典コンテンツのＵＲＬを取得してステップＳ５０６にて受信したユーザＩＤの携帯端末２に送信する（ステップＳ５１６）。
【０１３９】
携帯端末２の制御部２１は、コンテンツサーバ１から特典コンテンツを受信し（ステップＳ５１７）、表示部２５にクーポン画面６３（図１０参照）を出力して(ステップＳ５１８)、処理を終了する。
【０１４０】
以上のように、実際の店舗に携帯端末２のユーザが来店して、携帯端末２をＩＣタグ７にかざすと、ＩＣタグ７は携帯端末２にアプリケーションの起動コマンドとタグＩＤとを送り、携帯端末２はアプリケーションを起動してタグＩＤとユーザＩＤとかざし日時とをコンテンツサーバ１に送信する。コンテンツサーバ１は、受信したユーザＩＤのアクセス履歴テーブル４４内のコンテンツＩＤと受信したタグＩＤとが、広告コンテンツ管理テーブル４２にて対応付けて記憶されているか否かを判断し、対応付けて記憶されている場合にユーザＩＤのユーザが広告を閲覧して実際の店舗に来店したことを判断することができる。
【０１４１】
以上、添付図面を参照しながら、本発明に係る広告配信システム１００、２００等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【０１４２】
１００、２００………広告配信システム
１………コンテンツサーバ
２………携帯端末
３………ＷｉＦｉスポット
４………通信基地局
５………コードリーダ装置
７………ＩＣタグ
１１、２１、３１………制御部
１２、２２、３２………記憶部
１３、３３………メディア入出力部
１４、２３、３４………通信制御部
１５、２４、３５………入力部
１６、２５、３６………表示部
１７、３７………周辺機器Ｉ／Ｆ部
３９………コードリーダ
４１………ユーザ管理テーブル
４２………広告コンテンツ管理テーブル
４３………ＳＳＩＤ管理テーブル
４４………アクセス履歴テーブル
４５………かざし履歴テーブル
５０、７０………広告表示画面
６３………クーポン画面
６５………サンキューメッセージ表示画面
【図１】
2014109964.tif 000003
【図２】
2014109964.tif 000004
【図３】
2014109964.tif 000005
【図４】
2014109964.tif 000006
【図５】
2014109964.tif 000007
【図６】
2014109964.tif 000008
【図７】
2014109964.tif 000009
【図８】
2014109964.tif 000010
【図９】
2014109964.tif 000011
【図１０】
2014109964.tif 000012
【図１１】
2014109964.tif 000013
【図１２】
2014109964.tif 000014
【図１３】
2014109964.tif 000015
【図１４】
2014109964.tif 000016
【図１５】
2014109964.tif 000017
【図１６】
2014109964.tif 000018